(57)【要約】【課題】１セグメント放送受信機能を有する新しい構成の携帯送受信装置を提供する。【解決手段】本考案の携帯送受信装置は、本体と該本体を取り付けるリストバンドとからなる。該本体は本体上部と本体下部とからなる。本体上部は表示部を有し、ヒンジを介して本体下部と接続され、本体下部上に折り畳み可能であるように構成される。本体下部は、ＣＰＵ、１セグメント放送用回路及びキーパッドを有し、ヒンジが設けられた側と反対側の側面に無線通信モジュールを挿入する挿入口を有している。【選択図】図１
0003126255.tif 000002
【実用新案登録請求の範囲】
【請求項１】
本体と前記本体を取り付けるリストバンドとからなる携帯送受信装置であって、前記本体は本体上部と本体下部とからなり、
前記本体上部は表示部を有し、ヒンジを介して前記本体下部と接続され、前記ヒンジを介して前記本体下部上に折り畳み可能であり、
前記本体下部は、音声情報と画像情報とを受信するのに必要な機能を有し、前記ヒンジが設けられた側と反対側の側面に無線通信モジュールを挿入する挿入口を有している携帯送受信装置。
【請求項２】
前記表示部は、前記本体上部の裏側に配置された第１の表示部と、前記本体上部の表側に配置された第２の表示部とからなる請求項１記載の携帯送受信装置。
【請求項３】
前記本体下部は、ＣＰＵ、１セグメント放送用回路及びキーパッドを有する請求項１記載の携帯送受信装置。
【請求項４】
前記第１の表示部は、少なくとも通話情報及び１セグメント放送のテレビ映像を表示し、前記第２の表示部は、少なくとも時計情報を表示する請求項２記載の携帯送受信装置。
【請求項５】
前記本体と前記リストバンドとは着脱可能となっている請求項１記載の携帯送受信装置。
【考案の詳細な説明】
【技術分野】
【０００１】
本考案は携帯送受信装置に関し、より詳細には、携帯電話端末やＰＨＳ端末などが有する無線通信機能に加えて、移動体通信端末向けの１セグメント放送の受信機能を有する、腕に装着可能な携帯送受信装置に関する。
【背景技術】
【０００２】
移動体通信端末向けの地上デジタル放送（１セグメント放送、“ワンセグ”とも呼ばれる）のサービス開始とともに、当該放送を受信する機能を有する携帯電話、ＰＨＳ端末、パソコン、携帯型テレビ受像機などの携帯機器が普及しつつある。中でもこのような機能をもつ携帯電話機やＰＨＳ端末の普及は急速に進んでおり、市場規模の拡大とともに、デジタル放送ならではの様々な新しいサービスの提供も予定されている。
【０００３】
通常、携帯電話端末やＰＨＳ端末等の移動端末の操作に際しては、片手もしくは両手により端末を支えながら行うのが一般的である。このため、従来の構造の移動端末にテレビ放送受信機能を搭載すると、これを操作するユーザは、端末を手で保持しながらテレビ放送を視聴しなければならない。したがって、長時間の視聴におけるユーザの負担が大きくなる。
【０００４】
一方、無線通信機能を有する腕時計に関しては既に提案がなされている（例えば、特許文献１）。このような装置は、両手を自由に使える状態でユーザが電話をかけることを可能とし、ユーザの負担を軽減する。しかしながら、特許文献１に開示される装置は、あくまで無線通信機能が付加された腕時計に過ぎず、１セグメント放送を受信し視聴するための機能を付加したハンズフリー型の携帯電話機については、未だに詳細な提案がなされていない。
【特許文献１】特開２００１−２６４４６２号公報
【考案の開示】
【考案が解決しようとする課題】
【０００５】
本考案の目的は、上述の従来技術の問題点を解決しうる新しい構成の携帯送受信装置を実現することにある。
【課題を解決するための手段】
【０００６】
本考案の携帯送受信装置は、本体と該本体を取り付けるリストバンドとからなる。該本体は本体上部と本体下部とからなる。本体上部は表示部を有し、ヒンジを介して本体下部と接続され、本体下部上に折り畳み可能であるように構成される。本体下部は、音声情報と画像情報とを受信するのに必要な機能を有し、ヒンジが設けられた側と反対側の側面に無線通信モジュールを挿入する挿入口を有している。
【０００７】
上記表示部は、本体上部の裏側に配置された第１の表示部と、本体上部の表側に配置された第２の表示部とからなるものであってもよい。また、本体下部は、ＣＰＵ、１セグメント放送用回路及びキーパッドを有していてもよく、第１の表示部は、少なくとも通話情報及び１セグメント放送のテレビ映像を表示し、第２の表示部は、少なくとも時計情報を表示するように構成されてもよい。さらに、本体とリストバンドとは着脱可能に構成されてもよい。
【考案の効果】
【０００８】
本考案によれば、テレビ放送を長時間視聴する際のユーザの負担が軽減される。また、本考案は、本体の長手方向に沿って形成されたヒンジを介して本体上部が本体下部に折り畳まれる構造を有しており、腕時計を眺めるような姿勢で本体上部を開くとテレビ放送表示用の表示部が現れる。したがって、ユーザが腕に装着した状態で使用してテレビ放送を視聴するのに非常に適した構造となっている。
【考案を実施するための最良の形態】
【０００９】
本考案の携帯送受信装置１の外観を図１に示す。携帯送受信装置１は、液晶基板や液晶パネルを内蔵する本体上部１０、メイン基板等を内蔵する本体下部２０、１セグメント放送用のアンテナ３０及びリストバンド４０からなる。各構成要素については後に詳述する。本体上部１０は、ヒンジ１１０を介して本体下部２０と接続され、本体下部２０上に折り畳み可能に構成される。本体上部１０及び本体下部２０は、従来の１セグメント放送に対応した携帯電話端末もしくはＰＨＳ端末に相当する部分であり、これらの本体部分をリストバンド４０に取り付けることにより、本考案の携帯送受信装置１が構成される。リストバンド４０を取り外した、本体上部１０及び本体下部２０のみの外観を図２に示す。以下、本考案の携帯送受信装置１は、ＰＨＳ通信機能を有するものとして説明されるが、従来の１セグメント放送対応の携帯電話端末に対しても本考案を適用することができる。
【００１０】
本体上部１０及び本体下部２０の分解図を図３に示す。本体上部１０は外側（表側）カバー１０ａと内側（裏側）カバー１０ｂとからなり、外側カバー１０ａと内側カバー１０ｂとの間には、サブ液晶パネル１０６、メイン液晶パネル１０８及び液晶基板１０４が内蔵されている。サブ液晶パネル１０６は本体上部１０内において外側（表側）に配置され、時刻表示用に使用される。メイン液晶パネル１０８は本体上部１０内において内側（裏側）に配置され、携帯送受信装置１の無線通信機能や電子メール機能を利用する場合の画面表示、もしくは１セグメント放送受信時のテレビ映像の表示に使用される。液晶基板１０４はメイン液晶パネル１０８に付随する基板であり、メイン液晶パネル１０８とともに一つの部材として構成される。外側カバー１０ａは携帯送受信装置１の外装となるものであり、時刻表示用のサブ液晶パネル１０６の表示窓であるサブ液晶カバー１０２を具備している。また、内側カバー１０ｂはメイン液晶パネルの表示窓であるメイン液晶カバー１１２を具備している。
【００１１】
本体下部２０は、ヒンジ１１０を介して本体上部１０と接続されている。本体下部２０は内側カバー２０ａと外側カバー２０ｂとからなり、これらの間にはメイン回路基板２０４が内蔵されている。メイン基板２０４は、ＣＰＵ、記憶部、１セグメント放送用回路、リアルタイムクロック（ＲＴＣ）を具備する。さらに、メイン基板２０４上にはキーパッド２０２が配置されている。キーパッド２０２の詳細を図４に示す。発着信キー２０２ａ、切断／電源キー２０２ｂ、数字キー２０２ｃ、メールキー２０２ｄ、クリアキー２０２ｅ、電話帳呼び出しキー２０２ｆ、十字キー２０２ｇ、決定キー２０２ｈ、ＴＶキー２０２ｉを有している。
【００１２】
図３の実施例は、無線通信機能を別個の小型モジュール２１０として独立させた構成として示されている。無線通信モジュール２１０は、例えば、内蔵アンテナ、送受信部、変復調部、時分割多元接続（ＴＤＭＡ）符号化部、ＴＤＭＡ復号化部、ＡＤＰＣＭトランスコーダ、制御部、フラッシュメモリ、ランダム・アクセス・メモリ（ＲＡＭ）、電源、インターフェース部からなる。無線通信モジュール２１０は、ソケット２０６に挿入され、インターフェース部を介してサブ基板２０８に接続され、メイン基板２０４との間で信号の送受信を行う。しかし、本考案はこのような構成に限定されるものではない。図３に示すように無線通信機能がモジュールとして独立した構成のみならず、メイン基板２０４が上述の無線通信用の各種構成要素を具備するような従来の構成の移動端末についても、本考案を適用することができる。
【００１３】
本体下部２０の内側カバー２０ａは、キーパッド２０２のカバーとなる。本体下部２０の外側カバー２０ｂは、無線通信モジュール２１０のソケット２０６の挿入口のカバー２１２及びバッテリー２１４のカバー２１６を具備しており、さらに１セグメント放送受信用のアンテナ３０を内部に収納できるように構成されている。
【００１４】
本体下部２０に設けられたソケット２０６に無線通信モジュール２１０を挿入する際の外観を図５に示す。ソケット２０６の挿入口は、本体下部２０において、ヒンジ１１０とは反対側の側面に設けられている。カバー２１２を開き、挿入口からモジュール２１０を差込み、モジュール２１０のインターフェース部がサブ基板２０８に接続されるまで押し込んだ後、カバー２１２を閉じることにより、モジュール２１０が本体内に収納され、装置１がＰＨＳ端末として使用可能になる。
【００１５】
本体上部１０を本体下部２０上に折り畳んだ状態における本体上部１０及び本体下部２０の六面図を図６に示す。図６Ａは真上から見た平面図、図６Ｂは真下から見た底面図、図６Ｃ乃至Ｆは、それぞれ、左側面図、正面図、右側面図、及び背面図である。各構成要素については上述のとおりであるので説明を省略する。
【００１６】
本体上部１０及び本体下部２０にリストバンド４０を取り付けた状態の六面図を図７に示す。図７Ａは真上から見た平面図、図７Ｂは真下から見た底面図、図７Ｃ乃至Ｆは、それぞれ、左側面図、正面図、右側面図、及び背面図である。リストバンド４０は、図２に示した本体上部１０及び下部２０からなる送受信機能を有する本体部分を取り付けて固定できるように構成される。リストバンド４０と本体（１０、２０）とは着脱可能な構造となっている。この様子を図８に示す。したがって、本考案の携帯送受信装置は、本体をリストバンド４０に取り付けて腕に装着して使用できるだけでなく、本体をリストバンド４０から取り外し、本体のみを例えば机上に置くなどして使用することもできる。リストバンド４０の構造は腕に装着するのに適したものであればよく、当業者にとって既知の様々な構造を採用することができる。例えば、リストバンド４０は、一般的な腕時計用のベルトのような構造であってもよい。また、リストバンド４０は、本体を取り付ける台座と腕に装着するための腕輪とからなり、当該台座と腕輪とが着脱可能であるような構造であってもよい。
【００１７】
本考案の携帯送受信装置の主要な構成要素の接続を示すブロック図を図９に示す。メイン基板２０４とキーパッド２０２、サブ基板２０８に接続された無線通信モジュール２１０、サブ液晶パネル１０６、及び液晶基板１０４に実装されたメイン液晶パネル１０８との接続関係が示されている。メイン基板２０４には、ＣＰＵ２０４ａ、記憶部２０４ｂ、リアルタイムクロック（ＲＴＣ）２０４ｃ、及び１セグメント放送受信回路２０４ｄが実装されている。
【００１８】
以下、本考案の携帯送受信装置の動作について説明する。ユーザは、通常、図１のような状態の装置１をリストバンド４０により腕に装着して携帯している。装置１を電話として使用して発信を行なう際、ユーザは、図１０に示すように本体上部１０を折り畳まずに開いた状態で、相手先の電話番号を入力するため数字キー２０２ｃ（図４、図９参照）を押下する。ＣＰＵ２０４ａは、数字キー２０２ｃの押下に応答して、対応する数字をメイン液晶パネル１０８に表示する。メイン液晶パネル１０８に所望の電話番号が表示された状態で、ユーザが発着信キー２０２ａ（図４、図９参照）又は決定キー２０２ｈ（図４、図９参照）を押下すると、ＣＰＵ２０４ａはこれに応答して、無線通信モジュール２１０を制御して発信を行う。その後、ユーザはマイク（図示せず）及びスピーカ６０を介して通話を行う。マイクは、例えば本体上部１０又は本体下部２０に内蔵されている。
【００１９】
上記の手順のほか、発着信キー２０２ａを押下した後に数字キー２０２ｃを操作して電話番号を入力し、再度発着信キーを押下することで発信が行われるようにしてもよい。ユーザがテレビ放送を視聴している場合、ＣＰＵ２０４ａは、発着信キー２０２ａの押下に応答して、１セグメント放送用回路２０４ｄを制御してテレビ放送の受信を終了する。もしくは、スピーカ６０を制御して音声出力をＯＦＦにした後、メイン液晶パネル１０８に映像を表示したまま、画面上に着信表示用のウィンドウを表示して、その中に着信情報を表示してもよい。
【００２０】
また、ユーザが電話帳呼び出しキー２０２ｆ（図４、図９参照）を押下すると、ＣＰＵ２０４ａはこれに応答して記憶部２０４ｂから電話帳データを読み出し、メイン液晶パネル１０８上に表示する。ユーザが所望の相手先データを十字キー２０２ｇ（図４、図９参照）により選択して決定キー２０２ｈ（図４、図９参照）を押下すると、上記と同様に発信が開始される。
【００２１】
一方、外部からの着信を検知すると、ＣＰＵ２０４ａは、スピーカ６０から着信音を発したり、ＬＥＤ７０を点滅させるなどしてユーザに知らせるとともに、メイン液晶パネル１０８に着信中である旨を表示する。着信画面用の画像が予め設定されている場合には、ＣＰＵ２０４ａは当該画像を記憶部２０４ｂから読み出し、メイン液晶パネル１０８に表示する。発信者の電話番号が通知されている場合には、画面上に当該番号を表示する。サブ液晶パネル１０６に着信中である旨及び発信者の電話番号を表示するように構成してもよい。また、ユーザがテレビ放送を視聴中であれば、メイン液晶パネル１０８に映像を表示したまま、着信中である旨及び発信者の電話番号を示す着信表示用のウィンドウを画面上に表示する。ユーザが電話に出るために発着信キー２０２ａ（図４、図９参照）を押下すると、ＣＰＵ２０４ａは１セグメント放送用回路２０４ｄを制御してテレビ放送の受信を終了した後、通話を開始させる。通話中、切断／電源キー２０２ｂ（図４、図９参照）を押下することにより通話は終了し、ＣＰＵ２０４ａはメイン液晶パネル１０８上に通話が終了した旨を表示する。通話前にユーザがテレビ放送を視聴していた場合には、再び視聴するか否かをユーザに選択させるためのウィンドウをメイン液晶パネル１０８に表示する。
【００２２】
本考案の携帯送受信装置を使用して電子メールを送信する場合、ユーザはメールキー２０２ｄ（図４、図９参照）を押下する。これに応答して、ＣＰＵ２０４ａは、ユーザがメールを作成、編集、送信するためのメニュー画面をメイン液晶パネル１０８に表示する。作成された電子メールをユーザの指示により送信する際、ＣＰＵ２０４ａはメイン液晶パネル１０８に送信中である旨を表示する。また、送信後、送信が成功したか否かについて画面に表示してもよい。テレビ放送視聴中にユーザがメールキー２０２ｄ（図４、図９参照）を押下しても、ＣＰＵ２０４ａは電子メール機能を起動しない。もしくは、テレビ放送の視聴中にユーザがメールキー２０２ｄ（図４、図９参照）を押下すると、ＣＰＵ２０４ａが１セグメント放送用回路２０４ｄを制御して放送の受信を終了した後、メール機能用のメニュー画面をメイン液晶パネル１０８上に表示するようにしてもよい。
【００２３】
一方、電子メールの受信を検知すると、ＣＰＵ２０４ａは、スピーカ６０から着信音を発したり、ＬＥＤ７０を点滅させるなどしてしてユーザに受信を知らせるとともに、メイン液晶パネル１０８に電子メールを受信した旨を表示する。電子メール受信画面用の画像が予め設定されている場合には、ＣＰＵ２０４ａは当該画像を記憶部２０４ｂから読み出し、メイン液晶パネル１０８に表示する。また、電話着信時と同様に、発信者情報をメイン液晶パネルに表示したり、サブ液晶パネル１０６に着信中である旨及び発信者の電話番号を表示するように構成してもよい。また、ユーザがテレビ放送を視聴している際、電子メールは受信されない。
【００２４】
本考案の携帯送受信装置を使用して１セグメント放送を視聴する場合、ユーザはＴＶキー２０２ｉ（図４、図９参照）を押下する。ＣＰＵはこれを検知して、１セグメント放送用回路２０４ｄを制御し、アンテナ３０を介して受信した映像をメイン液晶パネル１０８に表示するとともに、受信した音声をスピーカ６０を介して出力する。チャンネルの切り替えは、数字キー２０２ｃ（図４、図９参照）もしくは十字キー２０２ｇ（図４、図９参照）により行う。
【００２５】
本考案の携帯送受信装置は、図１、図７及び図８に示すようなリストバンド４０により腕に装着することができる。このため、テレビ放送を長時間視聴する場合において端末を常に手に保持しておく必要がなく、ユーザの負担が軽減される。リストバンド４０と本体とは着脱可能であり、リストバンド４０を外して本体のみを机上に置いて使用することもできる。さらに、本考案の携帯送受信装置は、本体の長手方向に沿って形成されたヒンジ１１０を介して本体上部１０が折り畳まれる構造であり、腕時計を眺めるような姿勢で本体上部１０を開くと、図１０に示すように、ユーザの顔に向かい合うようにして横長のメイン液晶パネル１０８が現れる。したがって、本考案の携帯送受信装置は、ユーザが腕に装着した状態で使用してテレビ放送を視聴するのに非常に適した構成となっている。
【図面の簡単な説明】
【００２６】
【図１】本考案の携帯送受信装置１の外観を示す図である。
【図２】本体上部１０及び本体下部２０の外観を示す図である。
【図３】本体上部１０及び本体下部２０の分解図である。
【図４】キーパッド２０２の詳細を示す図である。
【図５】本体下部２０に設けられたソケット２０６に無線通信モジュール２１０を挿入する様子を示す図である。
【図６】本体上部１０及び本体下部２０の六面図である。
【図７】本体にリストバンド４０を取り付けた状態の六面図である。
【図８】本体とリストバンド４０とが着脱可能である様子を示す図である。
【図９】本考案の携帯送受信装置の主要な構成要素の接続を示すブロック図である。
【図１０】本体上部１０を開いた状態を示す図である。
【符号の説明】
【００２７】
１      携帯送受信装置
１０    本体上部
１０ａ  外側カバー
１０ｂ  内側カバー
２０    本体下部
２０ａ  内側カバー
２０ｂ  外側カバー
３０    アンテナ
４０    リストバンド
６０    スピーカ
７０    ＬＥＤ
１０２  サブ液晶カバー
１０４  液晶基板
１０６  サブ液晶パネル
１０８  メイン液晶パネル
１１０  ヒンジ
１１２  メイン液晶カバー
２０２  キーパッド
２０２ａ  発着信キー
２０２ｂ  切断／電源キー
２０２ｃ  数字キー
２０２ｄ  メールキー
２０２ｅ  クリアキー
２０２ｆ  電話帳呼び出しキー
２０２ｇ  十字キー
２０２ｈ  決定キー
２０２ｉ  ＴＶキー
２０４  メイン基板
２０６  ソケット
２０８  サブ基板
２１０  無線通信モジュール
２１２  カバー
２１４  バッテリー
２１６  カバー
【図１】
0003126255.tif 000003
【図２】
0003126255.tif 000004
【図３】
0003126255.tif 000005
【図５】
0003126255.tif 000006
【図８】
0003126255.tif 000007
【図９】
0003126255.tif 000008
【図１０】
0003126255.tif 000009
【図４】
0003126255.tif 000010
【図６】
0003126255.tif 000011
【図７】
0003126255.tif 000012